(57)【特許請求の範囲】
【請求項１】
垂直バー１２と水平バー１３が互いに連結されてなり、上部に垂直保護網フレーム１１が一体的に形成されたフレーム１０；
前記水平バー１３の上面に設置される作業足場１５；
前記垂直保護網フレーム１１とフレーム１０の上部に組み立てられる保護網１６；及び
前記フレーム１０の下部に形成され、スライド手段３０、４０によって左右移動可能に組み立てられ、下面に作業足場２３を持つ拡張フレーム２０；を含み、
前記スライド手段によって左右に移動しながらフレームの両側への作業範囲を拡張させることで作業効率を極大化することを特徴とする、拡張機能を有する建築工事用ケージ。
【請求項２】
前記拡張フレーム２０の一側には、ヒンジ２８によって回転する補助作業足場２６と、補助作業足場２６の回転半径を調節するワイヤ２７をさらに含むことを特徴とする、請求項１に記載の拡張機能を有する建築工事用ケージ。
【請求項３】
前記スライド手段３０は、
垂直バー１２に外側面のボルト挿入孔３３によって組み立てられ、内側面に転動ホイール３２が設けられた固定体３１と；
前記転動ホイール３２の外周面を“コ”字形に取り囲んでスライド移動し、拡張フレーム２０の外側の固定体３１と対応する位置に組み立てられるガイドレール２５と；を含んでなることを特徴とする、請求項１に記載の拡張機能を有する建築工事用ケージ。
【請求項４】
前記スライド手段４０は、
前記水平バー１３の下面に組み立てられる“Ｈ”字形のガイドレール４１と、
前記拡張フレーム２０の上面に組み立てられ、上部のホイール４２ａがガイドレール４１に密着した状態でスライド移動するように組み立てられる移動体４２と；を含んでなることを特徴とする、請求項１に記載の拡張機能を有する建築工事用ケージ。 
【発明の詳細な説明】
【技術分野】
【０００１】
本発明は拡張機能を有する建築工事用ケージに係り、より詳しくは建築物の施工において建物外壁の仕上げ作業用に使われるケージを左右に拡張可能に形成するとともに、上部に墜落防止用保護網を一体的に形成することにより、拡張性及び安全性を持つように構成した拡張機能を有する建築工事用ケージに関する。
【背景技術】
【０００２】
一般に、建築物の密集度が高くて地価の水準が高い都心などに建築される建築物は土地の効率的な利用のために近年急速に高層化している趨勢にある。
【０００３】
このように、建築物が高層化するにつれて、工事進行中に建築物の内部から各種の建築材、作業工具、粉じんなどが外部に落ちることができる危険にさらされており、このような不意の墜落または落下事故による人命、物損及び環境汚染などを防止するために既存にもさまざまな方式の安全保護網が使われている。
【０００４】
このような建築工事用安全保護網の場合、建築物骨組の外側に天幕や防塵網を連結して設置するかあるいは建築物骨組の外側にフレームを仮設し、このフレームに防塵網などを固定設置するなどの方式が主に適用されていた。
【０００５】
また、アパート、ビル、病院などの大型建築物の施工方法は、周知のように、まず一般型枠を用いて低階（１〜３階）を施工した後、タワークレーンを用いて型枠用ケージを装着した後、これを上部に引揚しながらコンクリートを打ち込んで建築物を施工する。
【０００６】
そして、建築物の外壁を多様に変形させて都市美観を向上させ、採光などを有効にするために、コンクリートで建築物の骨組工事である骨組とスラブ工事だけを施工し、その外の部分はガラスなどの外装用仕上げ資材で仕上げ工事を別に進めている。
【０００７】
前記のような建築物の仕上げ工事の一例として、本出願人が発明した特許文献１の建築物施工方法を参照すれば、コンクリートの打ち込みによる建築物の骨組を施工する過程と建築物の外壁を仕上げる工事が２〜３階の間隔を置いて同時に進める工法（ＳＷＣ：Ｓａｆｅｔｙ Ｗｏｒｋｉｎｇ Ｃａｇｅ）が明示されているが、前記のような工法で建築物を施工するときに下側の仕上げ作業者を保護することができる装備が要求された。
【０００８】
また、仕上げ作業用のケージとしてコンクリート打ち込み用ケージを変形させて使うため、作業空間の制約があり、これにより仕上げ工事の作業者の円滑な作業のための作業空間が確保できない問題点が発生した。
【０００９】
また、上部コンクリートの打ち込み作業で発生する粉じんや墜落物を適切に防御することができる安全施設がないため、落下物に下側の作業者が易しく露出される問題点が発生した。
【００１０】
また、近年になって建築物に特殊なデザインが加えられた建築物が増加するにつれて多様な形態の建築物が施工される。前記のように頻繁に変形される建築物の施工において、迅速に変化された形態に対応することができる仕上げ作業用ケージが切実に要求されているのが実情である。
【先行技術文献】
【特許文献】
【００１１】
【特許文献１】大韓民国特許登録第８９５６１４号明細書
【発明の概要】
【発明が解決しようとする課題】
【００１２】
したがって、本発明は前記のような事情に鑑みてなされたもので、本発明の目的は、外観が向上した建築物の施工において多様な形態の変化に適切に対応することができ、特に外側に溝が形成されるか突出するなどの形態変化に早く対応することができる拡張機能を有する建築工事用ケージを提供することにある。
【００１３】
また、本発明の他の目的は、建築物のカーテンウォールのような仕上げ工事に使われるケージにおいて作業足場を拡張可能に形成することで、作業環境を改善し、より安全な仕上げ作業を行うことができるようにすることにより、作業者の墜落や作業工具の落下などを防止することができる拡張機能を有する建築工事用ケージを提供することにある。
【００１４】
また本発明のさらに他の目的は、仕上げ工事用ケージの上部に垂直保護網を一体的に形成することで作業者や資材の墜落を近距離で防止して墜落者の人命被害を防止するとともに物損を最小化することができる拡張機能を有する建築工事用ケージを提供することにある。
【００１５】
また、本発明のさらに他の目的は、建築物の多様な形態変化に適切な自体変形で対応することで作業の効率性を極大化することができ、左右に拡張されることによってケージの設置数を節減して、資材費用を節減するとともに現場安全施設にかかるコストを同時に節減することができる拡張機能を有する建築工事用ケージを提供することにある。
【課題を解決するための手段】
【００１６】
本発明は前記のような目的を達成するために、垂直バーと水平バーが互いに連結されてなり、上部に垂直保護網フレームが一体的に形成されたフレーム；前記水平バーの上面に設置される作業足場；前記垂直保護網フレームの上下面に組み立てられる保護網；及び前記フレームの下部に形成され、スライド手段によって左右移動可能に組み立てられ、下面に作業足場を持つ拡張フレーム；を含み、前記スライド手段によって左右に移動しながらフレームの両側への作業範囲を拡張させることで作業効率を極大化する、拡張機能を有する建築工事用ケージを提供する。
【００１７】
前記拡張フレームの一側には、ヒンジによって回転する補助作業足場と、補助作業足場の回転半径を調節するワイヤをさらに含むことができる。したがって、補助作業足場は拡張機能を有する。
【００１８】
前記スライド手段は、垂直バーに外側面のボルト挿入孔によって組み立てられ、内側面に転動ホイールが設けられた固定体と；前記転動ホイールの外周面を“コ”字形に取り囲んでスライド移動し、拡張フレームの外側の固定体と対応する位置に組み立てられるガイドレールと；を含んでなることができる。
【００１９】
前記固定体は一対の対応する垂直バーの外面に３つが一組に組み立てられてなることができる。
【００２０】
前記スライド手段は、前記水平バーの下面に組み立てられる“Ｈ”字形のガイドレールと、前記拡張フレームの上面に組み立てられ、上部のホイールがガイドレールに密着した状態でスライド移動するように組み立てられる移動体と；を含んでなることができる。
【発明の効果】
【００２１】
以上のように、本発明による拡張機能を有する建築工事用ケージは、建築工事の仕上げ用ケージの上部に垂直保護網を一体的に形成することで、墜落危険を最も防止することができる高さ及び位置に保護網を設置することができ、作業者の墜落や資材の落下を防止することができ、特に作業者が墜落する場合、大型の人命事故を防止することができる効果がある。
【００２２】
また、ケージの下部に拡張される拡張フレームを形成し、これに補助的に展開して作業半径を確張することができる補助作業足場を備えることで、作業者が最大の作業空間が確保された状態で安全に仕上げ作業を行うことができる効果がある。
【００２３】
また、このように拡張フレームを備えることで、建築物の突出部によって発生したケージとケージ間の空間を易しく連結するとか分離するとかすることができ、作業効率を極大化することができ、ケージの数を節減することができ、多様な形態の建築物にも安全に作業することができる効果がある。
【図面の簡単な説明】
【００２４】
上記および他の目的、特徴および他の本発明の利点は、添付の図面を参照しながら、以下の詳細な説明により、さらに明確に理解されるであろう。
【図１】本発明による拡張機能を有する建築工事用ケージの斜視図である。
【図２】本発明による拡張機能を有する建築工事用ケージの拡張フレームの斜視図である。
【図３】本発明による拡張機能を有する建築工事用ケージのフレーム部分の部分拡大斜視図である。
【図４】図１のＡ部の拡大図である。
【図５】本発明による拡張機能を有する建築工事用ケージのスライド手段を拡大した側面図である。
【図６】本発明による拡張機能を有する建築工事用ケージのスライド手段の他の実施例を示す側面図である。
【図７】本発明による拡張機能を有する建築工事用ケージの使用実施例を示す正面図である。
【発明を実施するための形態】
【００２５】
以下、本発明が属する技術分野で通常の知識を持った者が容易に実施することができるように、本発明の実施例について添付図面を参照して詳細に説明する。しかし、本発明はいろいろの相異なる形態に具現することができ、ここで説明する実施例に限定されない。
【００２６】
図１は本発明による拡張機能を有する建築工事用ケージの斜視図である。
【００２７】
図１のように、本発明による拡張機能を有する建築工事用ケージ（以下、“ケージ”と言う）１００は、上部に垂直保護フレーム１１が一体的に形成されたフレーム１０と、前記フレーム１０の下部に移動可能に組み立てられる拡張フレーム２０と、前記フレーム１０から拡張フレームを安全に左右に移動させることができるスライド手段３０とに大別される。
【００２８】
前記フレーム１０は、垂直バー１２、水平バー１３及び連結バー１４が互いに連結されて直方体形の箱状に形成され、連結バー１４の上面には作業足場１５が組み立てられることで、作業者が容易に作業することができるように構成される。
【００２９】
すなわち、垂直バー１２と水平バー１３を用いて平面状に板を形成し、一対の板を連結バー１４で連結することで、１つの箱状のフレーム１０を形成するものである。
【００３０】
また、前記フレーム１０の上部には、建築物の外側に折られた垂直保護網フレーム１１が一体的に形成され、この垂直保護網フレーム１１とフレーム１０の最上部水平バー１３には保護網１６が組み立てられることにより、物体や作業者の墜落を防止することができる安全設備が形成される。
【００３１】
また、前記フレーム１０の下部にはスライド手段３０によって左右に移動する拡張フレーム２０が形成される。前記拡張フレーム２０は、図２に示すように、水平バー２１、垂直バー２２及び連結バー２３が互いに連結されて箱状を成し、内部底面に作業足場２４が形成され、外部側に１つ以上のガイドレール２５が設けられ、一側に補助作業足場２６がヒンジ２８によって回転可能に組み立てられる。
【００３２】
すなわち、前記拡張フレーム２０は、前述したフレーム１０と同様に、水平バー２１と垂直バー２２が連結されてなる二枚の板を形成し、これを連結バー２３で連結して１つの箱状の拡張フレーム２０を形成するものである。
【００３３】
また、前記補助作業足場２６は拡張フレーム２０に連結されたワイヤ２７によってその回転範囲が調節される。
【００３４】
図３及び図４に基づいて拡張フレーム２０がフレーム１０からスライドする過程を具体的に説明すれば次のようである。
【００３５】
図３及び図４のように、前記スライド手段３０は、フレーム１０の下部に形成された多数の固定体３１の転動ホイール３２と拡張フレーム２０の外側に組み立てられたガイドレール２５が互いにスライド移動可能に連結されてなる。
【００３６】
すなわち、フレーム１０の垂直バー１２の下部に多数の固定体３１をボルトで固定させて一体化する。好ましくは、上部に２つ、下部に１つを連結して、上部の２つは左右移動を円滑にし、下部の１つは拡張フレームの移動時に拡張フレーム２０が揺れることを防止するように形成する。
【００３７】
また、前記固定体３１を下側の一部分にだけ設置することで、補助作業足場２６の拡張の際、作業者がレールにかかることを防止することができるようにする。
【００３８】
前記のように、箱状のフレーム１０の垂直バー１２に固定体３１を組み立てた後、一側面から拡張フレーム２０を挿入することで、スライドしながら組み立てられる。これは、拡張フレーム２０の外周面に形成されたガイドレール２５の内部に固定体３１の転動ホイール３２が挿入されることで、拡張フレーム２０がスライド可能に組み立てられることにより可能である。
【００３９】
また、前記固定体３１の後面には多数のボルト挿入孔３３が形成されることにより、前記垂直バー１２を取り囲むか貫通することで堅く固定体３１を組み立てる。
【００４０】
一方、前記ガイドレール２５は、一側に左右移動を制御することができる固定ピンまたは係止段などの離脱防止手段（図示せず）を備えることで、過度な移動によってフレームから離脱することを防止するように形成することが好ましい。
【００４１】
図６は本発明による拡張機能を有する建築工事用ケージのスライド手段の他の実施例を示す側面図である。
【００４２】
図示のように、水平バー１４の下面に“Ｈ”字形のガイドレール４１が組み立てられ、このガイドレール４１の外周面に拡張フレーム２０の上面に組み立てられた移動体４２のホイール４２ａが密着して移動可能に組み立てられる。
【００４３】
前記のような形態のスライド手段４０は拡張フレーム２０の前方と後方の塞がりを防止することができるので、より優れた作業環境を提供することができる特徴を持つ。
【００４４】
図７は本発明による拡張機能を有する建築工事用ケージの使用実施例を示す正面図である。図示のように、２つのケージの間に拡張フレームを連結することで、ケージに隣り合うケージ間の空間でも無理なく仕上げ作業を行うことができる特徴を持つ。
【００４５】
すなわち、前記のような実施例により、建築物の施工中に建築物の突出部分などの形態変化に早く対応することができるので、多様な形態の建築物の施工が円滑に行うことができ、建築物の形態変化によって付加のコストが発生しない特徴がある。
【００４６】
また、建築物の施工においてケージの使用数を節減することにより設備コストを節減することができ、仕上げ作業用ケージを安全保護網の機能を提供することにより安全設備を強化しながらもコストを節減することができる特徴を持つ。
【００４７】
本発明は添付図面に示した一実施例に基づいて説明したが、当該技術分野の通常の知識を持った者には多様な変形及び他の実施例が可能であるのが理解可能であろう。
【産業上の利用可能性】
【００４８】
本発明は、建築物の施工において建物外壁の仕上げ作業用に使われるケージを左右に拡張可能に形成するとともに、上部に墜落防止用保護網を一体的に形成することにより、拡張性及び安全性を持つように構成した拡張機能を有する建築工事用ケージに適用可能である。
【符号の説明】
【００４９】
１００    ケージ
１０    フレーム
１１    垂直保護プレ
１２    垂直バー
１３    水平バー
１５    作業足場
１６    保護網
２０    拡張フレーム
２１    水平バー
２２    垂直バー
２４    作業足場
２５    ガイドレール
２６    補助作業足場
２８    ヒンジ
１４    連結バー
２３    連結バー
２７    ワイヤ
３０、４０    スライド手段
３１    固定体
３２    転動ホイール
３３    ボルト挿入孔
４１    ガイドレール
４２    移動体
４２ａ    ホイール
【図１】
0005505736.tif 000002
【図２】
0005505736.tif 000003
【図３】
0005505736.tif 000004
【図４】
0005505736.tif 000005
【図５】
0005505736.tif 000006
【図６】
0005505736.tif 000007
【図７】
0005505736.tif 000008